【手続補正書】
【提出日】平成18年11月8日(2006.11.8)
【手続補正１】
【補正対象書類名】明細書
【補正対象項目名】特許請求の範囲
【補正方法】変更
【補正の内容】
【特許請求の範囲】
【請求項１】
コンテキスト検索可能な情報伝達を格納するための方法であって、
情報伝達の内容中の各種異なる部分を分析して、前記内容中の前記各種異なる部分のそれぞれに関連する特定の反応応答を識別するステップと、
特定の表示可能な属性を、前記内容中の前記各種異なる部分のそれぞれに関連付けて、前記識別された反応応答を示すステップと、
前記情報伝達についての前記内容中の前記各種異なる部分のそれぞれを、前記識別された反応応答のそれぞれおよび前記関連する表示可能属性のそれぞれと共に、反応応答および表示可能属性のうちの少なくとも１つを含むコンテキストによって検索可能なデータベース内に格納するステップと、
を含む方法。
【請求項２】
前記各種異なる部分のそれぞれが、単語、語句、文、段落、話題、件名、気分、緊急度指標、挨拶、結び、アイコン、グラフィックス、アバター（分身となるキャラクター）の身振り、サウンド・クリップ、ビデオ・クリップ、添付文書、および前記内容のすべて、のうちからの少なくとも１つを含む、請求項１に記載のコンテキスト検索可能な情報伝達を格納するための方法。
【請求項３】
前記関連する表示可能属性のそれぞれが、色、テキストの扱い、スタイルの扱い、およびグラフィカル要素、のうちの少なくとも１つを含む、請求項１に記載のコンテキスト検索可能な情報伝達を格納するための方法。
【請求項４】
前記反応応答のそれぞれが、前記情報伝達の対象となる受信者の予想される応答、前記情報伝達の送信者の意図された応答、および前記情報伝達に対する前記対象となる受信者の実際の応答、のうちからの少なくとも１つを含む、請求項１に記載のコンテキスト検索可能な情報伝達を格納するための方法。
【請求項５】
前記検索可能データベースから前記情報伝達を取り出すステップと、
前記情報伝達を、前記情報伝達の前記内容内に表示される前記表示可能属性の前記それぞれと共にレンダリングするステップ
をさらに含む、請求項１に記載のコンテキスト検索可能な情報伝達を格納するための方法。
【請求項６】
反応応答および表示可能属性のうちの少なくとも１つを含む検索基準に従って前記検索可能データベースをフィルタリングして、前記検索基準を満たす前記検索可能データベース内に格納された情報伝達の中から選択したものを取り出すステップ
をさらに含む、請求項１に記載のコンテキスト検索可能な情報伝達を格納するための方法。
【請求項７】
特定の反応応答を求めて、送信者、受信者、日付、時刻、および話題、のうちの少なくとも１つによって前記検索可能データベースを検索するステップ
をさらに含む、請求項１に記載のコンテキスト検索可能な情報伝達を格納するための方法。
【請求項８】
前記情報伝達に対する修正を検出したことに応答して、前記修正、および前記修正に関連する修正された反応応答と共に、前記検索可能データベース内の前記格納された情報伝達を更新するステップ
をさらに含む、請求項１に記載のコンテキスト検索可能な情報伝達を格納するための方法。
【請求項９】
前記内容中の前記各種異なる部分のそれぞれを、情報伝達の内容の複数のカテゴリに関連する反応応答の応答データベースのうちの少なくとも１つからのエントリを用いて分析するステップ
をさらに含む、請求項１に記載のコンテキスト検索可能な情報伝達を格納するための方法。
【請求項１０】
反応応答の応答データベースのうちの前記少なくとも１つが、個人応答データベース、地域応答データベース、各国言語サポート応答データベース、ビジネス応答データベース、および特性応答データベース、のうちの少なくとも１つを含む、請求項９に記載のコンテキスト検索可能な情報伝達を格納するための方法。
【請求項１１】
前記情報伝達が、文書、電子通信、音声通信、ビデオ通信、およびグラフィカル通信、のうちの少なくとも１つである、請求項１に記載のコンテキスト検索可能な情報伝達を格納するための方法。
【請求項１２】
コンテキスト検索可能な情報伝達を格納するためのシステムであって、
ネットワークに通信可能に接続されたコンピューティング・システムを含み、
前記コンピューティング・システムがさらに、
情報伝達の内容中の各種異なる部分を分析して、前記内容中の前記各種異なる部分のそれぞれに関連する特定の反応応答を識別する手段と、
特定の表示可能な属性を、前記内容中の前記各種異なる部分のそれぞれに関連付けて、前記識別された反応応答を示す手段と、
前記情報伝達について、前記内容中の前記各種異なる部分のそれぞれを、前記識別された反応応答のそれぞれ、および前記関連する表示可能属性のそれぞれと共に、反応応答および表示可能属性のうちの少なくとも１つを含むコンテキストによって検索可能なデータベース内に格納する手段と
を含むシステム。
【請求項１３】
コンテキスト検索可能な情報伝達を格納するための記録媒体を有するコンピュータを、
前記記録媒体内に記録されており、情報伝達の内容中の各種異なる部分を分析して、前記内容中の前記各種異なる部分のそれぞれに関連する特定の反応応答を識別する手段と、
前記記録媒体内に記録されており、特定の表示可能な属性を、前記内容中の前記各種異なる部分のそれぞれに関連付けて、前記識別された反応応答を示す手段と、
前記記録媒体内に記録されており、前記情報伝達について、前記内容中の前記各種異なる部分のそれぞれを、前記識別された反応応答のそれぞれおよび前記関連する表示可能属性のそれぞれと共に、反応応答および表示可能属性のうちの少なくとも１つを含むコンテキストによって検索可能なデータベース内に格納する手段
として機能させるためのコンピュータ・プログラム。
【請求項１４】
コンテキストによって情報伝達を検索するための方法であって、
特定の反応応答、および関連する特定の表示可能属性、のうちの少なくとも１つを含む検索基準によって、検索可能データベース内に格納された複数の情報伝達をフィルタリングするステップと、
前記検索基準を満たす前記複数の情報伝達の中から選択したものを、前記選択した情報伝達の内容内に表示される前記関連する表示可能属性と共にレンダリングするステップと
を含む方法。
【請求項１５】
コンテキストに基づく情報伝達を格納するための方法であって、
情報伝達のためコンテキストを判断するステップであって、前記コンテキストが非口頭および口頭の交信の応答を示す、ステップと、
前記情報伝達を、前記コンテキストと共に、非口頭および口頭の交信の応答により検索可能なデータベース内に格納するステップと、
を含む方法。
【請求項１６】
少なくとも１つの表示可能属性を、前記情報伝達のための前記コンテキストに関連付けるステップ
をさらに含む、請求項１５に記載のコンテキスト・ベースの情報伝達を格納するための方法。
【請求項１７】
前記情報伝達を、前記少なくとも１つの表示可能属性と共に、表示可能属性によって検索可能なデータベース内に格納するステップを
さらに含む、請求項１６に記載のコンテキスト・ベースの情報伝達を格納するための方法。
【請求項１８】
前記口頭および非口頭の交信の応答が、前記情報伝達の受信者による予想される応答、前記情報伝達の送信者の意図された応答、および前記情報伝達の前記受信者による実際の応答、のうちの少なくとも１つを含む、請求項１５に記載のコンテキスト・ベースの情報伝達を格納するための方法。
【請求項１９】
情報伝達を格納するための方法であって、
情報伝達の内容中の各種異なる部分を分析して、前記内容の前記各種異なる部分のそれぞれに関連する特定の反応応答を識別するステップと、
色を、前記内容中の前記各種異なる部分のそれぞれに関連付けて、前記識別された反応応答を示すステップと、
前記情報伝達について、前記内容中の前記各種異なる部分のそれぞれを、前記識別された反応応答のそれぞれおよび前記色のそれぞれと共に、反応応答および色のうちの少なくとも１つを含むコンテキストによって検索可能なデータベース内に格納するステップと
を含む方法。